(57)【要約】【課題】本考案は、携帯機器において、複数の小さな装飾体を規則的に並べて所望のデザインを容易に形成するための貼着体を提供すること、デザイン性に優れた携帯カバーないし携帯機器を提供することを目的とする。【解決手段】携帯機器又は携帯機器のカバーに貼着されるものであって、その外枠と内方に描かれた模様の双方又は一方に沿って装飾体が配列されることを特徴とする貼着体、貼着体の外枠と内方に描かれた模様の双方又は一方に沿って配列された装飾体を有する携帯機器の装飾カバー、及び前記装飾カバー備えることを特徴とする携帯機器。【選択図】図１
0003125753.tif 000002
【実用新案登録請求の範囲】
【請求項１】
携帯機器の表面又は携帯機器のカバーに貼着されるものであって、その外枠と内方に描かれた模様の双方又は一方に沿って装飾体が配列されることを特徴とする貼着体。
【請求項２】
貼着体の外枠と内方に描かれた模様の双方又は一方に沿って配列された装飾体を有することを特徴とする携帯機器の装飾カバー。
【請求項３】
請求項２記載の装飾カバーを備えることを特徴とする携帯機器。
【考案の詳細な説明】
【技術分野】
【０００１】
本考案は携帯電話やＰＤＡ等の携帯機器に取り付けて装飾性を高めるための貼着体及び装飾カバーに関する。
【背景技術】
【０００２】
携帯電話やＰＤＡ等の携帯機器のデザイン性を高めるため、携帯機器のカバーの表面に複数の小さなビーズ等の装飾体を貼り付けることが考えられる。複数の装飾体を、携帯機器のカバーの表面に並べて所望のデザインを形成することにより、携帯機器のデザイン性が豊かになる。
【考案の開示】
【考案が解決しようとする課題】
【０００３】
しかし、複数の小さな装飾体を規則的に並べて所望のデザインを形成するのは容易ではない。
【０００４】
そこで、本考案は、複数の小さな装飾体を規則的に並べて所望のデザインを容易に形成するための貼着体を提供することを目的とする。また、デザイン性に優れた携帯機器を提供することを目的とする。
【課題を解決するための手段】
【０００５】
請求項１に係る考案は、携帯機器の表面又は携帯機器のカバーに貼着されるものであって、その外枠と内方に描かれた模様の双方又は一方に沿って装飾体が配列されることを特徴とする貼着体である。
【０００６】
このようなものであると、貼着体自体が貼着されて固定されるため、個々の装飾体を配列する位置が明確になり、装飾体による模様の形成が容易になる。よって、デザイン性に優れた携帯機器を提供できる。
【０００７】
なお、貼着体の外郭形状が外枠を、外枠の内方の線が内方に描かれた模様を意味する。貼着体は前者と後者の双方又は一方を備えるものである。
【０００８】
また、装飾体の配列は、貼着体の外枠に沿って装飾体を配列するか、貼着体の内方に描かれた模様に沿って装飾体を配列するか、又は、貼着体の外枠に沿って装飾体を配列すると共に貼着体の内方に描かれた模様に沿って装飾体を配列することができる。
【０００９】
また、請求項２に係る考案は、貼着体の外枠と内方に描かれた模様の双方又は一方に沿って配列された装飾体を有することを特徴とする携帯機器の装飾カバーである。
【００１０】
また、請求項３に係る考案は、請求項２記載の装飾カバーを備えることを特徴とする携帯機器である。
【考案の効果】
【００１１】
本考案によれば、貼着体自体がカバー又は携帯機器に貼着されて固定されるため、個々の装飾体を配列する位置が明確になり、装飾体による模様の形成が容易になる。よってデザイン性に優れた携帯機器を提供することできる。
【考案を実施するための最良の形態】
【００１２】
以下、本考案を実施するための最良の形態を、実施例として示す各図と共に説明する。
【実施例１】
【００１３】
図１ないし図２は本考案の実施例である。図１は、本考案の貼着体Ｓ及び装飾カバーＤＣを備えた携帯機器の分解斜視図であり、図２は本考案の貼着体Ｓ及び装飾カバーＤＣを備えた携帯機器の斜視図である。
【００１４】
携帯機器は折り畳み式の携帯電話Ｔである。この携帯電話Ｔの表面ＴＦ又はカバーＣに貼着体Ｓを貼り付ける。貼着体Ｓの片面に粘着材が施されており（シール体）、携帯電話Ｔの表面ＴＦ又はカバーＣの裏面にしっかりと固着される。本実施例のカバーＣは透明であり、カバーＣの表面側（装飾体を配置する側）から貼着体Ｓが目視できるようにしてある。なお、貼着体ＳはカバーＣの外側に固着することもできる。
【００１５】
本実施例における貼着体Ｓの外枠はハート型であり、この貼着体Ｓの外枠に沿って装飾体Ｄ１を配列する。装飾体Ｄ１は小さな粒状物である（本実施例ではダイヤモンドを模した形状である。）。装飾体Ｄ１の裏面には粘着材（例えば両面テープ）が施されており、貼着体Ｓの外枠に沿って装飾体Ｄ１を配列すると、その配列した状態でカバーＣの表面に固着される。このようにして、貼着体Ｓの外枠形状に応じたデザイン（ハート形状）が形成される。同様に、貼着体Ｓの内方に装飾体Ｄ２を配列し、その他の部分に装飾体Ｄ３、Ｄ４を配列する。貼着体Ｓの外枠に配列する装飾体Ｄ１、貼着体Ｓの内方に配列する装飾体Ｄ２、その他に配列する装飾体Ｄ３、Ｄ４は大きさ・色彩が異なるので、デザイン性が高い。また、本実施例の携帯電話Ｔは液晶表示画面を有するので、液晶表示画面の外枠に沿って装飾体Ｄ３を配列している。
【００１６】
本実施例であれば、貼着体Ｓ自体がカバーＣに貼着されて固定されるため、個々の装飾体を配列する位置が明確になるので、装飾体による模様の形成が容易になる。よってデザイン性に優れた携帯機器を提供することができる。
【００１７】
なお、カバーＣの裏面に貼着された貼着体Ｓ等に沿って装飾体Ｄ１等を形成したカバーＣは、装飾カバーＤＣとなり、ネジＳＣを介して携帯電話Ｔに取り付けられる。
【００１８】
また、本実施例における装飾体の裏面の粘着材（例えば両面テープ）は、剥がしたときにカバーＣの表面（又は携帯機器の表面）に残らないものが好適に用いられる。また、当該粘着材は携帯電話の表面側に施しても良い。
【実施例２】
【００１９】
図３に実施例２を示す。実施例２は携帯機器（例えば携帯ゲーム機器）の装飾カバーＤＣである。
【００２０】
まず、透明であるカバーＣの裏面から貼着体Ｓ１、Ｓ２を貼着する。貼着体Ｓ１、Ｓ２は内方に模様部Ｐ１、Ｐ２を有している。貼着体Ｓ１はアルファベットの模様部Ｐ１を有しており、貼着体Ｓ２はキャラクターの模様部Ｐ２を有している。
【００２１】
本実施例では、貼着体Ｓ１の外枠（長方形状）に沿って装飾体Ｄ５を配列すると共に、貼着体Ｓ２の外枠および内方に描かれた模様部Ｐ２（キャラクターの目に該当する模様）に沿って装飾体Ｄ６、Ｄ５を配列している。
【００２２】
貼着体Ｓ１において、その外枠に沿って装飾体Ｄ５を配列することにより、内方に描かれた模様部Ｐ１（アルファベットのＡ、Ｂ、Ｃ）を露出させ、デザイン性を向上させている。また、貼着体Ｓ２において、その外枠に沿って装飾体Ｄ６を配列すると共に、その内方に描かれた模様部Ｐ２に沿って装飾体Ｄ５を配列することにより（模様部の一部を露出させることにより）、デザイン性を向上させている。
【図面の簡単な説明】
【００２３】
【図１】本考案の実施例１の分解斜視図。
【図２】本考案の実施例１の底面図。
【図３】本考案の実施例２を示す斜視図。
【符号の説明】
【００２４】
Ｔ  携帯電話
Ｃ  カバー
Ｓ  貼着体
Ｄ  装飾体
Ｐ  模様部
ＤＣ  装飾カバー
【図１】
0003125753.tif 000003
【図２】
0003125753.tif 000004
【図３】
0003125753.tif 000005
【手続補正書】
【提出日】平成18年4月25日(2006.4.25)
【手続補正１】
【補正対象書類名】実用新案登録請求の範囲
【補正対象項目名】請求項２
【補正方法】変更
【補正の内容】
【請求項２】
請求項１記載の貼着体を有することを特徴とする携帯機器の装飾カバー。
【手続補正書】
【提出日】平成18年7月21日(2006.7.21)
【手続補正１】
【補正対象書類名】実用新案登録請求の範囲
【補正対象項目名】全文
【補正方法】変更
【補正の内容】
【実用新案登録請求の範囲】
【請求項１】
携帯機器のカバーと、外枠と内方に描かれた模様の双方または一方を有する貼着体と、貼着体の外枠と内方に描かれた模様の双方または一方に沿って配列された装飾体とからなる携帯機器の装飾カバー。
【請求項２】
携帯機器のカバーと、外枠と内方に描かれた模様の双方または一方を有する貼着体と、貼着体の外枠と内方に描かれた模様の双方または一方に沿って配列された装飾体とを備えた携帯機器。
【請求項３】
携帯機器のカバーが透明であることを特徴とする請求項１記載の装飾カバー。
【手続補正２】
【補正対象書類名】明細書
【補正対象項目名】０００５
【補正方法】変更
【補正の内容】
【０００５】
請求項１に係る考案は、携帯機器のカバーと、外枠と内方に描かれた模様の双方または一方を有する貼着体と、貼着体の外枠と内方に描かれた模様の双方または一方に沿って配列された装飾体とからなる携帯機器の装飾カバーである。
【手続補正３】
【補正対象書類名】明細書
【補正対象項目名】０００９
【補正方法】変更
【補正の内容】
【０００９】
請求項２に係る考案は、携帯機器のカバーと、外枠と内方に描かれた模様の双方または一方を有する貼着体と、貼着体の外枠と内方に描かれた模様の双方または一方に沿って配列された装飾体とを備えた携帯機器である。
【手続補正４】
【補正対象書類名】明細書
【補正対象項目名】００１０
【補正方法】変更
【補正の内容】
【００１０】
請求項３に係る考案は、携帯機器のカバーが透明であることを特徴とする請求項１記載の装飾カバーである。